(57)【要約】      （修正有）【課題】カタログが少量になっても安定した起立をし、又、梱包と輸送の経済的負担を軽減できるカタログスタンドを提供する。【解決手段】収納箱Ａに背面補強板Ｂを入れＡに設けられた折り返し片を箱の中に折り込み、紙の弾性により中のカタログを傾きにくくする。底板Ｃを収納箱Ａの底面に接着しカタログスタンド全体の傾きを防ぐ。紙製のカタログスタンドを収納箱Ａと背面補強板Ｂと底板Ｃの３部品に分け、中に入るカタログＤを超えないサイズにすることで、梱包と輸送の経済的負担を軽減させながら傾きにくいカタログスタンドを構成する。【選択図】図３
0003147809.tif 000002
【実用新案登録請求の範囲】
【請求項１】
開口部が上方にあり、縦長に起立する扁平なカタログ収納箱の正面部上辺と両側面部の斜めの上辺に折返し片を設け、折返し片を内側に折込むことで生じる両側面部折返し片の弾性構造を特徴とする紙製カタログスタンド。
【請求項２】
背面補強板の短辺をカタログ収納箱に入るようにコの字に折り曲げ、カタログ収納箱の内側の背面に沿うように入れることを特徴とする請求項１記載の紙製カタログスタンド。
【請求項３】
背面補強板において上方に切欠部があり展開した大きさの背面補強板短辺がカタログの短辺サイズを超えず、背面補強板長辺がカタログの長辺サイズと一致していることを特徴とする請求項２記載の紙製カタログスタンド。
【請求項４】
カタログ収納箱底部より大きく、カタログの大きさを超えない底板を、カタログ収納箱底部に接着したことを特徴とする請求項３記載の紙製カタログスタンド。
【請求項５】
カタログスタンドをカタログ収納箱、背面補強板、底板の３部品で構成し、カタログ収納箱を折り畳んだ大きさが、収納箱の中に入るカタログサイズを超えない大きさにしたことを特徴とする請求項４記載の紙製カタログスタンド。
【考案の詳細な説明】
【技術分野】
【０００１】  本考案は、自由に持ち帰れるカタログや、パンフレット、宣伝物を収納し店頭に設置するための紙製カタログスタンドに関するものである。
【背景技術】
【０００２】  カタログを立て縦長方向に起立させ収納する省スペースなカタログスタンドは、カタログが少量になるとカタログが傾斜しカタログスタンド全体の起立が不安定となる。【０００３】  特許文献１は、内容物を傾け正面を見せるため、店頭での設置スペースを多く必要とし、組み立て前の折り畳んだ大きさが中に入るカタログサイズより大きくなり、カタログと共に梱包、輸送がしにくい。
【特許文献１】特開２００２−１７７１０４
【考案の開示】
【考案が解決しようとする課題】
【０００４】  カタログが少量になっても安定した起立をし、省スペースなカタログスタンドとする。又、梱包と輸送の経済的負担を軽減させるため、折り畳んだ大きさが中に入るカタログサイズより大きくならないことを課題とする。
【課題を解決するための手段】
【０００５】  開口部が上方にあり、縦長に起立する扁平なカタログ収納箱の正面部上辺と両側面部の斜めの上辺に折返し片を設け、折返し片を内側に折込むことで生じる両側面部折返し片の弾性構造を特徴とする。【０００６】  背面補強板の短辺をカタログ収納箱に入るようにコの字に折り曲げ、カタログ収納箱の内側の背面に沿うように入れる。【０００７】  背面補強板において上方に切欠部があり展開した大きさの背面補強板短辺がカタログの短辺サイズを超えず、背面補強板長辺をカタログの長辺サイズと一致させる。【０００８】  カタログ収納箱底部より大きく、カタログの大きさを超えない底板を、カタログ収納箱底部に接着する。【０００９】  カタログスタンドをカタログ収納箱、背面補強板、底板の３部品で構成し、折り畳んだカタログ収納箱の大きさを収納箱の中に入るカタログサイズを超えない大きさにする。
【考案の効果】
【００１０】  省スペースな縦型のカタログスタンドでありながら、カタログ収納箱上部に設けられた折り返し片が、紙の弾性によりカタログを左右から中央に押すため、カタログが少量になっても起立し、カタログ収納箱に背面補強板を入れ、底板をカタログ収納箱底部に接着することで、全体が傾きにくくなる。カタログ収納箱、背面補強板、底板の３部品で構成することによりカタログと共に梱包可能な大きさにできる為、梱包と輸送の経済的負担を軽減することができる。
【考案を実施するための最良の形態】
【００１１】  カタログ収納箱をワンタッチで組み立て可能な底貼り構造として、傾き防止の背面補強板をカタログ収納箱の内側に入れる。カタログ収納箱側面と正面の折り返し片を箱の内側に折込み、底板を収納箱底面部に接着する。又、収納箱、背面補強板、底板の３パーツで構成し、組み立て前の大きさは中に入るカタログサイズ以下とする。
【実施例】
【００１２】  以下図に基づき実施の例を説明する。本考案のカタログスタンドは、カタログを入れる収納箱Ａと背面補強板Ｂと底板Ｃの紙製部品で構成される。【００１３】  図１の収納箱Ａは展開状態で１枚のシートからなっている。左の接着片１から折り線ａを介し左側面部２、折り線ｂを介し正面部３、折り線ｃを介し右側面部４、折り線ｄを介し背面部５があり、連接している。【００１４】  また、各部２、３、４、５の下方には折り線ｅ、ｆ、ｇ、ｈを介して左底部６、正面底部７、右底部８、背面底部９からなる底部が連接している。そして左底部６には外側に折られる折り線ｉを介して左貼合片部１０、右底部８には外側に折られる折り線ｊを介して左貼合片部１１を連接している。【００１５】  そして左側面２の上方に、斜めの折り線ｋを介して折り返し片１２、正面３の上方に折り線１を介して正面折り返し片１３、右側面４の上方に斜めの折り線ｍを介して右折り返し片１４が連接している。折り返し片の長さＡ−１は正面部の幅Ａ−２と等しい。また、折り返し片１２と１４は背面補強板Ｂをセットし折り返すために背面補強板Ｂの幅Ｂ−１と合致するよう切欠部Ａ−４を設ける。【００１６】  図１の背面補強板Ｂは収納箱Ａの中に入りカタログの傾きを支える。背面補強板右側面部１５から折り線ｐを介し背面補強板背面部１６、折り線ｑを介し背面補強板左側面部１７が連接している。【００１７】  そして背面補強板右側面部１５と背面補強板左側面部１７は、背面補強板Ｂを収納箱Ａに入れ、収納箱Ａの折り返し片１２と１４を折り返したときに背面補強板Ｂを上方から抑えるために必要な辺ｕとｖをつくるために、Ｂ−２の切欠部を設ける。【００１８】  図１の底板Ｃは収納箱Ａ底部に接着しカタログスタンド全体の傾きを防ぐ。収納箱底部より大きなシートとする。切り込み線１８と外側に折れる折り線ｒ、切り込み線１９と外側に折れる折り線ｓ、切り込み線２０と外側に折れる折り線ｔを設け舌片２１、２２、２３となる。【００１９】  図２の収納箱Ａはワンタッチで組み立てうるようになっている。あらかじめ図１の左貼合辺部１０の裏面と正面底部７を接着、右貼合辺部１１の裏面と背面底部９を接着、接着片１の上に背面５を接着する。底部はすべて内側に折り畳まれた状態になり、図４に示す収納箱Ａのように組み立て途中となる。折り線ｄとｂを広げｃとａを折り曲げると底面部が押し下げられ底面を形成し、図２に示す収納箱Ａとなりワンタッチで組立つ。【００２０】  背面補強板Ｂは折り線ｐとｑを折り曲げ図２のようにして、背面補強板背面部１６と収納箱Ａの背面部５の内側とが接するように背面補強板Ｂを収納箱Ａに収納する。【００２１】  収納箱Ａの正面折り返し片１３を折り線１で内側に折り曲げ、折り返し片１２を折り目ｋで内側に折り、背面補強板Ｂの辺ｖを上方から押さえる。折り返し片１４を折り線ｍで内側に折り背面補強板Ｂの辺ｕを上方から押さえる。これにより背面補強板Ｂは収納箱Ａから容易に抜けにくくなる。【００２２】  図２の底板Ｃの折り線の長さｔとｒを、収納箱Ａの正面の幅Ａ−２と合致させ、折り線ｒからｔまでの距離を収納箱ＡのＡ−３と合致させておく。これを底板Ｃの任意の位置に設けることで、底板Ｃの折り線ｒ��ｓ、ｔを谷折に外側に折り曲げ、舌片２１、２２、２３を起こし図２の底板Ｃとなった時に、収納箱Ａの接着位置を容易に認識できる。【００２３】  底板Ｃの切り込み線１８から切り込み線２０の間に両面粘着テープを貼る。カタログ収納箱Ａの折り線ｆとｈとｇがそれぞれ底板Ｃの折り線ｒ、ｔ、ｓと接するようにし、舌片２３が収納箱Ａの正面３に、舌片２１が収納箱Ａの背面５に、舌片２２が収納箱Ａの右側面部４に沿うように位置を確認し底板の両面粘着テープ剥離紙を剥離し接着することで、底板Ｃの任意の適正な位置に収納箱Ａを接着することができる。【００２４】  収納箱Ａをワンタッチで組み立て、背面補強板Ｂをセットし、底板を接着した完成したカタログスタンドに、カタログＤを収納すると図３に示す形となる。【００２５】  図３に示すように、収納箱Ａに設けられた折り返し片１２と１４が紙の弾性でカタログを左右から中央に押すため、カタログが少量になっても左右に偏りにくい効果があり、カタログが傾きにくい。【００２６】  収納箱Ａの正面部３の高さを背面部５の高さより低くし、収納箱Ａ側面２と４の上方を正面部３に向かって斜めに下げる。収納箱Ａに収納されたカタログＤの上部が掴みやすく、取り出しやすい。【００２７】  背面補強板Ｂの長辺Ｂ−３はカタログＤの長辺ｏと同じ長さとする。カタログが傾いても背面補強板Ｂの側面部１５と１７に接し、傾きを収納箱Ａの幅Ａ−２に抑えることができ、カタログスタンド全体の傾きを防止する効果がある。【００２８】  図３のように完成したカタログスタンドを立て、収納箱Ａの正面部３を前面として店頭に設置すると、間口を多く取らず省スペースでありながら安定した起立をするカタログスタンドとなる。【００２９】  店頭で完成したカタログスタンドに近接して展示製品を置き、展示製品を底板Ｃに載せることで、カタログスタンドをより安定させることも可能である。また、展示製品をカタログスタンドの左に置く場合は底板を１８０度水平に回転させ舌片２２を収納箱Ａの左側面部２に沿わせ接着することもできる。展示製品で収納箱Ａ側面部に沿った舌片２２が隠れ外観がよい。【００３０】  図４に示すように収納箱Ａと背面補強板と底板の３部品に分けて構成することにより、収納箱Ａの折り畳んだ大きさと平板状態の背面補強板Ｂと底板ＣはカタログＤの大きさを超えないサイズに設計でき、梱包と輸送をカタログＤと共にすることができる。結果、梱包と輸送の経済的負担を軽減できる。
【図面の簡単な説明】
【００３１】
【図１】本考案の実施例のカタログスタンド展開図である
【図２】上記カタログスタンド組み立て工程を示すものである。
【図３】上記カタログスタンド使用状態を示す斜視図である。
【図４】上記カタログスタンドを梱包する際の折り畳み図である
【符号の説明】
【００３２】Ａ  収納箱
Ｂ  背面補強板
Ｃ  底板
Ｄ  パンフレット、カタログなどの宣伝物
１  接着片
２  左側面部
３  正面部
４  右側面部
５  背面部
６  左底部
７  正面底部
８  右底部
９  背面底部
１０  左貼合片部
１１  右貼合片部
１２  左折り返し片
１３  正面折り返し片
１４  右折り返し片
１５  背面補強板右側面部
１６  背面補強板背面部
１７  背面補強板左側面部
１８、１９、２０  切り込み線
２１、２２、２３  舌片
Ａ−４、Ｂ−２  切欠部
【図１】
0003147809.tif 000003
【図２】
0003147809.tif 000004
【図３】
0003147809.tif 000005
【図４】
0003147809.tif 000006